(57)【要約】      （修正有）【課題】可視困難な微細なミストを発生させるサウナ装置においては、断水や故障でミストが発生しなくなっていても使用者にわからない。【解決手段】サウナ運転時に、循環ファン３と加熱手段４を駆動し、所定時間後に給水弁を駆動し、吹出温度センサ１８が検知する吹き出し温度の変化が負の所定値以下と判断したときにミストが発生していないと判断して、警報表示部１６で警報し表示することで、使用者において適切に処置が行えるようにしたサウナ装置を提供する。【選択図】図９
2008086585.tif 000002
【特許請求の範囲】
【請求項１】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記ミストノズルへの給水流量を計測する流量センサを備え、給水弁を駆動中において、前記流量センサが検知する流量が所定値以下のときに、警報音もしくは表示によりミスト発生がないことを使用者に告知するサウナ装置。
【請求項２】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記循環風路の吹き出し部の湿度を検知する湿度センサを備え、前記循環ファンと加熱手段とを駆動した後に所定時間を経て給水弁を駆動し、前記給水弁の駆動の前後において前記湿度センサが検知する湿度の差が所定値以下のときに、警報音もしくは表示によりミスト発生がないことを使用者に告知するサウナ装置。
【請求項３】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記循環風路の吹き出し部の温度を検知する吹出温度センサを備え、前記循環ファンと加熱手段とを駆動した後に前記吹出温度センサが検知する温度が上位で安定する時点で前記給水弁を駆動してミストを噴射し、前記給水弁の駆動前の吹出温度と前記給水弁駆動の所定時間後の吹出温度の差が所定値以下のときに、警報音もしくは表示によりミスト発生がないことを使用者に告知するサウナ装置。
【請求項４】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記循環風路の吹き出し部の温度を検知する吹出温度センサを備え、前記循環ファンと加熱手段とを駆動した後、前記吹出温度センサの検知する温度が所定温度に達した時点で前記給水弁を駆動してミストを噴射し、前記給水弁の駆動前の吹出温度と前記給水弁駆動の所定時間後の吹出温度の差が所定値以下のときに、警報音もしくは表示によりミスト発生がないことを使用者に告知するサウナ装置。
【請求項５】
請求項４記載の制御装置は、室内温度を検知する室内温度センサを備え、前記室内温度センサが感知する室内温度により前記所定温度が設定される請求項４記載のサウナ装置。
【請求項６】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記循環風路の吹き出し部の温度を検知する吹出温度センサを備え、前記循環ファンと加熱手段とを駆動した第１の所定時間の後に前記給水弁を駆動してミストを噴射し、前記給水弁の駆動前吹出の温度と前記給水弁駆動の第２の所定時間後の吹出温度の差が所定値以下のときに、警報音もしくは表示によりミスト発生がないことを使用者に告知するサウナ装置。
【請求項７】
請求項６記載の制御装置は、室内温度を検知する室内温度センサを備え、前記室内温度センサが感知する室内温度により前記第１の所定時間が設定される請求項４記載のサウナ装置。
【請求項８】
浴室内の空気を循環する循環ファンと、前記循環ファンにより生成される循環風路内に設けた加熱手段とミストを噴出するミストノズルと、前記ミストノズルへの給水を制御する給水弁および前記循環ファンと前記加熱手段と前記給水弁とを制御する制御装置を備えたサウナ装置であって、前記制御装置は、前記循環風路の吹き出し部の温度を検知する吹出温度センサと前記ミストノズルの上流の温度を検知する温度センサとを備え、前記循環ファンと前記加熱手段と前記給水弁とを駆動した所定時間以後に、前記循環風路の吹き出し部の温度と前記ミストノズルの上流の温度の差が所定値以下のときに、警報音もしくは表示によりミスト発生がないことを使用者に告知するサウナ装置。
【発明の詳細な説明】
【技術分野】
【０００１】
本発明は、浴室内を高温高湿なサウナ空間にするサウナ装置に関し、断水時やミストの発生部に故障が発生した場合に、使用者に迅速に報知するサウナ装置に関する。
【背景技術】
【０００２】
従来、この種のサウナ装置の故障の検知の方法と保護の例として、循環ファンの故障を検出する方法が知られている（例えば特許文献１参照）。
【０００３】
特許文献１に示すものは、サウナ装置等において、モータの駆動電流を検出する電流検知手段と比較手段を設け、比較手段によりモータに異常が生じていると判断されると、モータへの電源供給を遮断するようにしたものである。
【特許文献１】特開平７−１２３５８３号公報
【発明の開示】
【発明が解決しようとする課題】
【０００４】
ノズルから水を霧状に噴射して、この霧を加熱し、循環してサウナ室をサウナ状態にするミスト式のサウナ装置が家庭でも使われるようになってきている。また水の破砕技術が進歩して、１ミクロン以下の微細な霧を発生するものも登場し、濡れにくく読書やテレビも楽しめることから普及が促進されつつある。
【０００５】
しかしながら、ノズルに給水するための給水弁やポンプの故障や断水などでミストが発生しなくても、ミストが可視できないために、使用者が気づかないという課題がある。
【０００６】
本発明はこのような課題を解決し、ミストの発生がない場合に、これを使用者に報知して、使用者において適切に処置が行えるようにしたサウナ装置を提供することを目的としている。
【課題を解決するための手段】
【０００７】
本発明のサウナ装置は上記目的を達成するために、ミストノズルへの給水流量を計測する流量センサを備え、給水弁を駆動中において、流量センサが検知する流量が所定値以下のときに、警報音もしくは表示により告知するようにしたものである。
【０００８】
また、本発明のサウナ装置は、上記目的を達成するために、循環風路の吹き出し部の湿度を検知する湿度センサを備え、循環ファンと加熱手段とを駆動した後に所定時間を経て給水弁を駆動し、給水弁の駆動の前後において湿度センサが検知する湿度の差が所定値以下のときに、警報音もしくは表示により告知するようにしたものである。
【０００９】
また、本発明のサウナ装置は、上記目的を達成するために、環風路の吹き出し部の温度を検知する吹出温度センサを備え、記循環ファンと加熱手段とを駆動した後に吹出温度センサが検知する温度が上位で安定する時点で給水弁を駆動してミストを噴射し、給水弁の駆動前の温度と給水弁駆動の所定時間後の温度の差が所定値以下のときに、警報音もしくは表示により告知するようにしたものである。
【００１０】
また、本発明のサウナ装置は、上記目的を達成するために、循環風路の吹き出し部の温度を検知する吹出温度センサを備え、循環ファンと加熱手段とを駆動した後、吹出温度センサの検知する温度が所定温度に達した時点で給水弁を駆動してミストを噴射し、給水弁の駆動前の温度と給水弁駆動の所定時間後の温度の差が所定値以下のときに、警報音もしくは表示により告知するようにしたものである。
【００１１】
また、本発明のサウナ装置は、上記目的を達成するために、循環風路の吹き出し部の温度を検知する吹出温度センサを備え、循環ファンと加熱手段とを駆動した第１の所定時間の後に給水弁を駆動してミストを噴射し、給水弁の駆動前の温度と給水弁駆動の第２の所定時間後の温度の差が所定値以下のときに、警報音もしくは表示により告知するようにしたものである。
【００１２】
また、本発明のサウナ装置は、上記目的を達成するために、循環風路の吹き出し部の温度を検知する吹出温度センサと前記ミストノズルの上流の温度を検知する温度センサとを備え、循環ファンと加熱手段と給水弁とを駆動した所定時間以後に、循環風路の吹き出し部の温度と前記ミストノズルの上流の温度の差が所定値以下のときに、警報音もしくは表示により告知するようにしたものである。
【００１３】
このことにより、使用者は、迅速に点検を行ってミストが発生しない原因を取り除くことができる。
【発明の効果】
【００１４】
本発明によれば簡単な構成で、ミストが発生しない場合に迅速に使用者に知らせるサウナ装置を提供できる。
【発明を実施するための最良の形態】
【００１５】
本発明の請求項１記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、ミストノズルへの給水流量を計測する流量センサを備え、給水弁を駆動中において、流量センサが検知する流量が所定値以下のときに、警報音もしくは表示によりミスト発生がないことを使用者に告知するサウナ装置である。
【００１６】
本発明の請求項２記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、循環風路の吹き出し部の湿度を検知する湿度センサを備え、循環ファンと加熱手段とを駆動した後に所定時間を経て給水弁を駆動し、給水弁の駆動の前後において湿度センサが検知する湿度の差が所定値以下のときに、警報音もしくは表示によりミスト発生がないことを使用者に告知するサウナ装置である。
【００１７】
本発明の請求項３記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、循環風路の吹き出し部の温度を検知する吹出温度センサを備え、循環ファンと加熱手段とを駆動した後に吹出温度センサが検知する温度が上位で安定する時点で給水弁を駆動してミストを噴射し、給水弁の駆動前の温度と前記給水弁駆動の所定時間後の温度の差が所定値以下のときに、警報音もしくは表示によりミスト発生がないことを使用者に告知するサウナ装置である。
【００１８】
本発明の請求項４記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、循環風路の吹き出し部の温度を検知する吹出温度センサを備え、循環ファンと加熱手段とを駆動した後、吹出温度センサの検知する温度が所定温度に達した時点で給水弁を駆動してミストを噴射し、給水弁の駆動前の温度と給水弁駆動の所定時間後の温度の差が所定値以下のときに、警報音もしくは表示によりミスト発生がないことを使用者に告知するサウナ装置である。
【００１９】
本発明の請求項５記載の発明は、請求項４記載の発明において、制御装置は室内温度を検知する室内温度センサを備え、室内温度センサが感知する室内温度により所定温度が設定されることを特徴とするサウナ装置である。
【００２０】
本発明の請求項６記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、循環風路の吹き出し部の温度を検知する吹出温度センサを備え、循環ファンと加熱手段とを駆動した第１の所定時間の後に給水弁を駆動してミストを噴射し、給水弁の駆動前の温度と給水弁駆動の第２の所定時間後の温度の差が所定値以下のときに、警報音もしくは表示によりミスト発生がないことを使用者に告知するサウナ装置である。
【００２１】
本発明の請求項７記載の発明は、請求項６記載の発明において、制御装置は室内温度を検知する室内温度センサを備え、室内温度センサが感知する室内温度により第１の所定時間が設定されることを特徴とするサウナ装置である。
【００２２】
本発明の請求項８記載の発明は、浴室内の空気を循環する循環ファンと、循環ファンにより生成される循環風路内に設けた加熱手段とミストノズル、ミストノズルへの給水を制御する給水弁および循環ファンと加熱手段と給水弁とを制御する制御装置を備えたサウナ装置であって、制御装置は、循環風路の吹き出し部の温度を検知する吹出温度センサとミストノズルの上流の温度を検知する温度センサとを備え、循環ファンと加熱手段と給水弁とを駆動した所定時間以後に、循環風路の吹き出し部の温度とミストノズルの上流の温度の差が所定値以下のときに、警報音もしくは表示によりミスト発生がないことを使用者に告知するサウナ装置である。
【００２３】
以上のいずれの方法によっても、使用者は、迅速に点検を行ってミストが発生しない原因を取り除くことができる。
【００２４】
以下、本発明の実施の形態について図面を参照しながら説明する。
【００２５】
（実施の形態１）
図１は本発明の実施の形態１〜５の全体構成を示す図である。まず、本実施の形態に関わる構成について説明する。
【００２６】
サウナ空間を形成する浴室などの天井１に取り付けられたケーシング２の内部に循環ファン３が設けられ、この循環ファン３が駆動されたときに下部のサウナ室内の空気を循環するための循環風路３ａ内に、ヒータなどの加熱手段４とミストノズル５が設けられている。
【００２７】
このミストノズル５は、給水管６に接続され、水道や外部に設置された給湯器（図示せず）などから給水を受け、給水弁７の動作で霧状のミストを前記の循環風路３ａ内に噴出する。
【００２８】
以上述べた構成は後述する実施の形態２〜５においても同じである。
【００２９】
なお、この種のサウナ装置は、サウナ室内の換気を行うために排気ファン８が設けられていて、この排気ファン８が駆動することで排気風路８ａが構成され、サウナ室内の空気は屋外に排出されて換気が行われる。
【００３０】
制御装置９は、ケーシング２内の冷所に設置され、前述の循環ファン３や加熱手段４などを制御する。
【００３１】
以上述べた構成において、本実施の形態では、流量センサ１０を給水弁７の上流に設けている。この流量センサは、例えば磁石を取り付けた羽根車と磁気センサを用いたもの使用する。
【００３２】
図２は電気系の構成を示すブロック図である。制御装置９ａは、ＣＰＵ１１に入力として流量センサ１０が接続されると共に、運転の発停や、タイマー運転などを設定する設定部１２が接続され、ＣＰＵ１１の出力には電磁継電器などの駆動手段１３、１４、１５を介して、それぞれ循環ファン３、加熱手段４、給水弁７が接続され、さらに警報表示装置１６が接続されている。
【００３３】
前記の設定部１２は、使用者が操作して、換気運転や暖房運転やサウナ運転などの運転モードを選択し、運転の発停やタイマー運転を行わせるもので、スイッチやタイマー時限の表示器などから構成されるものである。
【００３４】
また、前記の警報表示部１６は、ブザーや液晶表示装置などで構成され、前記の設定部１２とともにサウナ室の外部に設置される。
【００３５】
このような構成において、設定部１２で使用者がサウナ運転を選択し、運転スイッチを押すことにより、制御装置９ａは循環ファン３と加熱手段４と給水弁７を駆動して、サウナ室内の空気を加熱と加湿をしながら循環して、サウナ室内を温暖で多湿な状態にするが、この制御装置９ａの詳細な動作を図１と図２を参照しながら、図３を用いて説明する。
【００３６】
図３は制御装置９ａの動作を示すフローチャートである。
【００３７】
まず、Ｓ（ステップ）１において、循環ファン３を駆動し、Ｓ２で加熱手段４を駆動する。次にＳ３で給水弁７を駆動する。この状態でサウナ運転の動作が完成する。次にＳ４で流量センサ１０が検知する給水管６内の流量が所定値Ｋ１以上であるかどうかをチェックし、所定値以上であればそのままサウナ運転を継続するが（Ｓ５）、所定値以下であれば、サウナ運転動作を停止して（Ｓ６）警報表示部１６で警報音を発生もしくは表示して（Ｓ７）使用者にミストが発生していないことを報知する。
【００３８】
以上の動作は、ＣＰＵ１１内のマイコン、ＲＡＭ、ＲＯＭが協働するプログラムの形態で実施される。
【００３９】
（実施の形態２）
本実施の形態のサウナ装置の全体構成は、前述のように図１と同じであり、図１に示すように、流量センサ１０に替えて循環風路３ａの吹き出し側に湿度センサ１７を設けたことが本実施の形態の特徴である。
【００４０】
図４は電気系の構成を示すブロック図である。
【００４１】
制御装置９ｂは、ＣＰＵ１１の入力として湿度センサ１７を接続し、他は実施の形態１の構成に同じである。
【００４２】
この制御装置９ｂの詳細な動作を図１と図４を参照しながら、図５を用いて説明する。
【００４３】
図５は制御装置９ｂの動作を示すフローチャートである。
【００４４】
まず、Ｓ（ステップ）１１において、循環ファン３を駆動し、Ｓ１２で加熱手段４を駆動する。次にＳ３で所定時間（Ｋ２）を待機してから、Ｓ１４で湿度センサ１７が検知した相対湿度（ＲＨ１）を記憶する。次にＳ１５で給水弁７を駆動してミストを噴射させる。これにより、ミストが正常に噴射すれば吹き出し部の湿度センサ１７周辺の相対湿度は増加し、ミストが噴射されていなければ相対湿度は増加しない。ついでＳ１６で所定時間（Ｋ３）を待機し、次にＳ１７でこの時点での相対湿度（ＲＨ２）を記憶する。次のＳ１８では記憶した２つの湿度を比較する。すなわち、増加した湿度（ＲＨ２−ＲＨ１）が、所定値Ｋ４以上であればミストが発生したと判断してサウナ運転を継続するが（Ｓ１９）、所定値Ｋ４以下であればミストが発生していないと判断してサウナ運転を停止し（Ｓ２０）次いで警報表示部１６で警報音を発生もしくは表示して使用者にミストが発生していないことを報知する。
【００４５】
（実施の形態３）
本実施の形態のサウナ装置の全体構成は、前述のように図１と同じであり、図１に示すように循環風路３ａの吹き出し側に吹出温度センサ１８を設けたことが本実施の形態の特徴である。
【００４６】
図６は電気系の構成を示すブロック図である。
【００４７】
制御装置９ｃは、ＣＰＵ１１の入力として吹出温度センサ１８を接続し、他は実施の形態１の構成に同じである。
【００４８】
図７はサウナ運転時の吹き出し温度の推移を示す図である。
【００４９】
横軸は時間推移を示し、縦軸は吹き出し温度を示す。
【００５０】
本実施の形態での制御装置９ｃは、吹出温度センサ１８の信号に基づいてサウナ動作を制御するので、その詳細な動作を図１と図６および図７を参照しながら、図８を用いて説明する。
【００５１】
図８は制御装置９ｃの動作を示すフローチャートである。
【００５２】
まず、Ｓ３１において、循環ファン３を駆動し、Ｓ３２で加熱手段４を駆動する。次にＳ３３では、吹出温度センサ１８が検知する吹き出し温度が図７で示すように上昇して時刻ｔ３で、例えば、７０℃〜８０℃の安定温度Ｔ１に達することを検知する。この安定温度に達したかどうかは、温度上昇の勾配が減少して所定値に達したことによって行われる。
【００５３】
次にＳ３４で、この安定温度Ｔ１を記憶し、次にＳ３５で給水弁７を駆動して、ミストノズル５よりミストの噴出を行う。このミストの噴出により、図７に示すように吹き出し温度が下降し、時刻ｔ４においてほぼ安定温度Ｔ２に達する。この安定温度Ｔ２に達したどうかの判定も温度下降の勾配が減少して所定値に達したことによって行われる（Ｓ３６）。
【００５４】
もし、ミストが正常に発生しない場合は、吹き出し温度は図７の点線で示す推移となる。
【００５５】
次にＳ３７で、この安定温度Ｔ２を記憶し、次いでＳ３８では、前記の記憶した２つの温度を比較する。すなわち、温度差（Ｔ１−Ｔ２）が、例えば、５°Ｋの所定値Ｋ６以上であればミストが発生したと判断してサウナ運転を継続するが（Ｓ３９）、所定値Ｋ６以下であればミストが発生していないと判断してサウナ運転を停止し（Ｓ４０）、次いでＳ４１で警報表示部１６により警報音を発生もしくは表示して使用者にミストが発生していないことを報知する。
【００５６】
（実施の形態４）
本実施の形態のサウナ装置の全体構成は、前述のように図１と同じであり、図１に示すように循環風路３ａの吹き出し側に吹出温度センサ設けるともに、循環風路３ａの入り口側に室内温度センサ１９を設けたことが本実施の形態の特徴である。
【００５７】
図９は電気系の構成を示すブロック図である。
【００５８】
制御装置９ｄは、ＣＰＵ１１の入力として吹出温度センサ１８と室内温度センサ１９とを接続し、他は実施の形態１の構成に同じである。
【００５９】
図１０はサウナ運転時の吹き出し温度の推移を示す図である。
【００６０】
横軸は時間推移を示し、縦軸は吹き出し温度を示す。
【００６１】
本実施の形態での制御装置９ｄは、吹出温度センサ１８と室内温度センサ１９の信号に基づいてサウナ動作を制御するので、その詳細な動作を図１と図９および図１０を参照しながら、図１１を用いて説明する。
【００６２】
図１１は制御装置９ｄの動作を示すフローチャートである。
【００６３】
まず、Ｓ５１において、循環ファン３を駆動し、Ｓ５２で加熱手段４を駆動する。次にＳ５３では室内温度センサ１９により、サウナ室内の温度Ｔａを測定する。次にＳ５４で吹出温度センサ１８が検知する吹き出し温度が図１０で示すように上昇して時刻ｔ５で温度Ｔ３に達することを検知する。この温度Ｔ３は、サウナ室内の温度Ｔａに所定値α（例えば５°）を加えた値である。次にＳ５５で給水弁７を駆動して、ミストノズル５よりミストの噴出を行う。このミストの噴出により、図１０の実線で示すように吹き出し温度が一時的に下降し、次いで上昇に転じる。もし、給水弁７を駆動してもミストが噴出しない場合には、図の点線で示すような温度推移になる。
【００６４】
次にＳ５６で所定時間（Δｔ）を待機の後、時刻ｔ６において吹き出し温度Ｔ４を測定する（Ｓ５７）。次にＳ５８で前記の２つの温度Ｔ３とＴ４を比較する。すなわち、Ｔ３−Ｔ４が例えば、５°Ｋの所定値Ｋ７より大であれば正常にミストが噴射されていると判断してサウナ運転を継続し（Ｓ５９）、所定値Ｋ６より以下であればミストが発生していないと判断してサウナ運転を停止し（Ｓ６０）、次いでＳ６１で警報表示部１６により警報音を発生もしくは表示して使用者にミストが発生していないことを報知する。
【００６５】
以上のように本実施の形態は、循環ファンと加熱手段を駆動の後吹き出し温度が上昇して所定温度に達した時点でミスト噴射動作を行わせ、その直後に吹き出し温度が一時的に低下することを検知してミストが実際に発生していることを確認して運転をそのまま継続し、温度が低下していないことを検知してミストが発生していないと判断して警報音を発生もしくは、表示しするようにしたものである。またミスト噴射を行う温度（所定温度）を室内温度により設定するようにすることで、サウナ運転開始からミストの発生を確認できるまでの時間を短縮するようにしている。
【００６６】
なお、ミスト噴射を行う時期を吹き出し温度にかえて、運転開始からの所定時間で行ってもよく、またこの場合の所定時間も室内温度に応じて設定するようにしてもよい。
【００６７】
（実施の形態５）
本実施の形態のサウナ装置の全体構成は、前述のように図１と同じであり、図１に示すように循環風路３ａの吹き出し側に吹出温度センサ１８を設けるともに、循環風路３ａのミストノズル５上流側に温度センサ２０を設けたことが本実施の形態の特徴である。
【００６８】
図１２は電気系の構成を示すブロック図である。
【００６９】
制御装置９ｅは、ＣＰＵ１１の入力として吹出温度センサ１８と温度センサ２０とを接続し、他は実施の形態１の構成に同じである。
【００７０】
図１３はサウナ運転時の吹き出し温度とミストノズル上流側の温度の推移を示す図である。横軸は時間推移を示し、縦軸は吹き出し温度とミストノズル上流側の温度を示す。
【００７１】
図の２つの曲線は、サウナ運転が正常に行われた場合の温度を示し、安定温度Ｔ１の曲線がミストノズルの上流側の温度センサ２０が検知する温度を示し、安定温度Ｔ２の曲線が吹出温度センサ１８が検知する温度を示している。
【００７２】
実線Ｔ２が実線Ｔ１よりも低位であるのは、ミストが発生している場合には、加熱手段４で加熱された空気がミストを加熱するために低下するためと一部は気化熱として奪われるためであり、もし、ミストが発生していない場合は曲線Ｔ２は曲線Ｔ１に概略重なる。
【００７３】
本実施の形態での制御装置９ｅは、吹出温度センサ１８と温度センサ２０の信号に基づいてサウナ動作を制御するので、その詳細な動作を図１と図１２および図１３を参照しながら、図１４を用いて説明する。
【００７４】
図１４は制御装置９ｅの動作を示すフローチャートである。
【００７５】
まず、Ｓ７１において、循環ファン３を駆動し、Ｓ７２で加熱手段４を駆動する。次にＳ７３で給水弁７を駆動する。Ｓ７４で所定時間Δｔの待機をした後、Ｓ７５で吹き出し温度とミストノズルの上流側の温度を測定する。次にＳ７６で両者の温度比較を行う、すなわち、図１３における時刻ｔ７での温度差Ｔ５−Ｔ６（ΔＴ）が所定値Ｋ８より大であれば正常にミストが発生していると判断してサウナ運転を継続し（Ｓ７７）、所定値Ｋ８より以下であればミストが発生していないと判断してサウナ運転を停止し（Ｓ７８）、次いでＳ７９で警報表示部１６により警報音を発生もしくは表示して使用者にミストが発生していないことを報知する。この温度比較の動作は、時刻ｔ７以降は常時実施される。サウナ運転の途中での断水などでミストが噴出されなくなると吹き出し温度（曲線Ｔ２）はミストノズルの上流側の温度（曲線Ｔ１）に近づくので、ミストが発生しない状況の検出が常時可能である。
【００７６】
なお、ミストの発生を判断するための温度測定に待機時間Δｔを設けたのは、サウナ運転初期は曲線Ｔ１と曲線Ｔ２の温度差が小さいので、誤判断しないようにしたもので、待機時間に替えて、吹き出し温度が所定温度に到達した時点で温度測定をするようにしても差し支えない。
【産業上の利用可能性】
【００７７】
本発明のサウナ装置は、簡単な構成でミスト発生の有無を判断し、断水や故障の場合に迅速に使用者に知らせるものであり、住居用のサウナ装置はもとより、業務用などの他用途のサウナ装置にも適用できる。
【図面の簡単な説明】
【００７８】
【図１】本発明の実施の形態１〜５の全体構成を示す図
【図２】本発明の実施の形態１の電気系の構成を示すブロック図
【図３】同実施の形態１における制御装置の動作を示すフローチャート
【図４】本発明の実施の形態２の電気系の構成を示すブロック図
【図５】同実施の形態２における制御装置の動作を示すフローチャート
【図６】本発明の実施の形態３の電気系の構成を示すブロック図
【図７】同実施の形態３における吹き出し温度の推移を示す図
【図８】同実施の形態３における制御装置の動作を示すフローチャート
【図９】本発明の実施の形態４の電気系の構成を示すブロック図
【図１０】同実施の形態４における吹き出し温度の推移を示す図
【図１１】同実施の形態４における制御装置の動作を示すフローチャート
【図１２】本発明の実施の形態５の電気系の構成を示すブロック図
【図１３】同実施の形態５における吹き出し温度の推移を示す図
【図１４】同実施の形態５における制御装置の動作を示すフローチャート
【符号の説明】
【００７９】
３    循環ファン
３ａ  循環風路
４    加熱手段
５    ミストノズル
７    給水弁
９、９ａ、９ｂ、９ｃ、９ｄ、９ｅ  制御装置
１０  流量センサ
１７  湿度センサ
１８  吹出温度センサ
１９  室内温度センサ
２０  温度センサ
【図１】
2008086585.tif 000003
【図２】
2008086585.tif 000004
【図３】
2008086585.tif 000005
【図４】
2008086585.tif 000006
【図５】
2008086585.tif 000007
【図６】
2008086585.tif 000008
【図７】
2008086585.tif 000009
【図８】
2008086585.tif 000010
【図９】
2008086585.tif 000011
【図１０】
2008086585.tif 000012
【図１１】
2008086585.tif 000013
【図１２】
2008086585.tif 000014
【図１３】
2008086585.tif 000015
【図１４】
2008086585.tif 000016